(57)【特許請求の範囲】
【請求項１】
ほぼ水平をなす支持脚における左右方向を向く前後１対の基杆の一部に、互いに平行をなして離間する前後１対の同じ長さの支柱の下端部に設けた連結ユニットを外嵌することにより、前記両支柱を、支持脚に、左右方向の軸回りに回動自在として枢着するとともに、前記各支柱の上端部を、天板の下面に左右方向の軸回りに回動自在として枢着し、かつ、前記支柱の回動範囲を、垂直位置よりも後方に傾斜する後方位置と、垂直位置よりも前方に傾斜する前傾位置との間で規制する規制手段を具備することを特徴とするテーブル。
【請求項２】
各支柱を、同じ長さだけ伸縮自在としたことを特徴とする請求項１記載のテーブル。
【請求項３】
支柱が後傾位置に回動する際には、支柱の回動速度を減速し、かつ、支柱が前傾位置に回動する際には、支柱の回動速度を減速しない回動速度抑制手段を具備することを特徴とする請求項１または２記載のテーブル。
【発明の詳細な説明】
【０００１】
【発明の属する技術分野】
本発明は、椅子の背部の傾斜状態に合わせて、天板の高さ及び前後位置を変化させうるようにしたテーブルに関する。
【０００２】
【従来の技術】
図９及び図１０に示すように、背部(Ｃ１)を、ほぼ垂直な起立位置(図９の状態)と、後方に傾斜した後傾位置(図１０の状態)との間で傾動しうるようにすることにより、着座者が、リラックスした状態で着座できるようにした椅子(Ｃ)は、公知である。
【０００３】
図９及び図１０に示すように、この椅子(Ｃ)を使用する際に、椅子(Ｃ)の前にテーブル(01)を配置することがある。
このテーブル(01)は、天板(02)の高さが調整可能となっており、椅子(Ｃ)の背部(Ｃ１)を起立位置から後傾位置に移動させた際には、天板(02)の位置を低くして使用される。
【０００４】
【発明が解決しようとする課題】
しかし、上記のテーブル(01)は、天板(02)の高さのみを変化させうるものであるから、背部(Ｃ１)を、起立位置から後傾位置に移動させると、着座者(Ａ)の上半身と天板(02)との距離が離れて、天板(02)上で作業を行いにくくなる。
【０００５】
本発明は、従来の技術が有する上記のような問題点に鑑みてなされたもので、天板の位置を、高さだけでなく、前後方向にも変化可能とすることにより、例えば背部を後方に傾斜可能な椅子と組み合わせて使用する場合において、背部を傾斜させても、着座者が天板上で無理なく作業できるようにした、操作性のよいテーブルを提供することを目的としている。
【０００６】
【課題を解決するための手段】
本発明によると、上記課題は、次のようにして解決される。
(１)  ほぼ水平をなす支持脚における左右方向を向く前後１対の基杆の一部に、互いに平行をなして離間する前後１対の同じ長さの支柱の下端部に設けた連結ユニットを外嵌することにより、前記両支柱を、支持脚に、左右方向の軸回りに回動自在として枢着するとともに、前記各支柱の上端部を、天板の下面に左右方向の軸回りに回動自在として枢着し、かつ、前記支柱の回動範囲を、垂直位置よりも後方に傾斜する後方位置と、垂直位置よりも前方に傾斜する前傾位置との間で規制する規制手段を具備するものとする。
【０００７】
(２)上記(１)項において、各支柱を同じ長さだけ伸縮自在とする。
【０００８】
(３)上記(１)項または(２)項において、支柱が後傾位置に回動する際は支柱の回動速度を減速し、かつ、支柱が前傾位置に回動する際は支柱の回動速度を減速しない回動速度抑制手段を具備するものとする。
【０００９】
【発明の実施の形態】
以下、本発明の一実施形態を備えるテーブル(１)と椅子(Ｃ)について、図１〜図８を参照しながら説明する。
なお、以下の説明中においては、図１の左側を「前方」とし、右側を「後方」とする。
また、椅子(Ｃ)は従来例のものと同じものであるので、その詳細な説明は省略する。
【００１０】
まず、テーブル(１)の構造について説明する。
図５に示すように、金属製の円管を折曲してなる前後の水平の支持脚(２)(３)は、それぞれ、平面視Ｕ字形及び逆Ｕ字形をなし、左右方向を向く直線状の基杆(４)の両端部に、前向き及び後向きに下傾する側杆(５)を形成したものである（図７、図８参照）。
前後の支持脚(２)(３)の基杆(４)同士は、複数の連結片(６)によって互いに結合されている。また、側杆(５)の先端下面には、硬質ゴム製の接床部材(７)が止着されている。
【００１１】
基杆(４)における右端部の連結片(６)とその隣の連結片(６)との間の部分には、後述する支柱(22)の下端部を支持するとともに、支柱(22)が支持脚(２)(３)に対して回動しうるようにするための連結ユニット(８)が取り付けられている。
【００１２】
連結ユニット(８)は、平面視長方形をなす金属製の上型(９)と下型(10)、及び上型(９)と下型(10)の対向面に設けられた半円柱状の受溝(9a)(10a)に嵌合する合成樹脂製の半円筒部材(11)(12)とからなっている。
【００１３】
上型(９)の上面の右端部には、上向きの段状突部(13)が形成されており、上型(９)の６箇所には、大径孔(14)の下部に小径孔(15)を連設した段付き孔(16)が、上型(９)を上下方向に貫通するように、かつ、受溝(9a)を避けるようにして設けられている。
受溝(9a)には半円筒部材(11)が嵌合されており、受溝(9a)の両端部には、半円筒部材(11)の両端部に形成された半円周状のフランジ(11a)が嵌合しうる、受溝(9a)よりも若干径が大きい環状段部(9b)が設けられている。
【００１４】
下型(10)の上面における段付き孔(16)と対向する位置には、ねじ孔(17)が穿設されている。下型(10)における受溝(10a)の底面には、平面視長方形の凹部(18)が形成され、受溝(10a)には下側の半円筒部材(12)が嵌合されている。
下側の半円筒部材(12)の底面には、下型(10)の受溝(10a)に嵌合した際に、下型(10)の凹部(18)と整合する平面視長方形の方形孔(19)が設けられている。
【００１５】
半円筒部材(11)を受溝(9a)に嵌合したまま、上側の半円筒部材(11)を基杆(４)の上半部に被せ、かつ、下側の半円筒部材(12)を基杆(４)の下半部に被せて、基杆(４)の下面に垂設されたストッパー板(20)を方形孔(19)と凹部(18)とに嵌合し、上型(９)と下型(10)の対向面を近接させて、ボルト(21)により上型(９)と下型(10)を互いに締め付けることにより、連結ユニット(８)は基杆(４)に回動自在に取り付けられている。
【００１６】
段状突部(13)の小径部(13a)には、金属製の円管からなる上下方向を向く支柱(22)の下端開口部が嵌合されており、支柱(22)の下端部は、止めねじ(23)により小径部(13a)に固定されている(図３、図７及び図８参照)。
前後の支柱(22)の中間部の左側面には、前後方向を向く連結リンク(24)の両端部が枢着され、前後の支柱(22)は、互いに平行をなす状態で回動するようになっている。
【００１７】
支柱(22)の内部には、金属製の円管を正面視倒立Ｌ字形に折曲加工した支持杆(25)の垂直部(26)が嵌合されており、支柱(22)の右側面に上下方向に並べて穿設された多数の調整孔(図示略)の一つに、垂直部(26)の右側面に穿設された通孔(図示略)を整合させて、整合した調整孔と通孔とにピン(27)を挿通することにより、支柱(22)に支持杆(26)が取り付けられている。
【００１８】
前後の支柱(22)の同じ高さにある調整孔にピン(27)を挿入することにより、前後の支持杆(26)は、等高をなす状態で前後の支柱(22)にロックされる。
また、垂直部(26)の下端部には、合成樹脂製の円筒状をなす摺接部材(28)が装着され、この摺接部材(28)が支柱(22)の内周面に接触することにより、垂直部(26)は支柱(22)に対して円滑に上下動することができるようになっている。
【００１９】
前後の支持杆(25)の水平部(29)上には天板(30)が載置されている。天板(30)の下面には、２枚の支持板(31)が水平部(29)を覆う状態でねじ止めされており、両支持板(31)の前後２箇所に形成されたＵ字状の支持溝(32)と天板(30)との間に、前記水平部(29)が回転自在に支持されている。
【００２０】
水平部(29)の下面における左右の支持板(31)の間には、ねじ孔(図示略)が穿設されており、このねじ孔には、止めねじ(33)が螺着され、止めねじ(33)の頭部が支持板(31)の支持溝(32)に接触することにより、天板(30)の左右方向への移動を規制している。
【００２１】
前側の支持杆(25)の水平部(29)の左端面は開口しており、この開口部には、天板(30)の下面に固着された公知のトルクダンパー(34)の軸部(35)が、相対回転不能に嵌合されている。
このトルクダンパー(34)は、後述するように、支柱(22)と支持杆(25)が後方に回動する際には、支柱(22)と支持杆(25)の回動方向と逆方向の抵抗力を発生し、支柱(22)と支持杆(25)が前方に回動する際には、支柱(22)と支持杆(25)の回動に対して何らの抵抗力を生じないものである。
【００２２】
図１及び図２は、以上説明したテーブル(１)を椅子(Ｃ)の直前に置いた状態を示している。
【００２３】
図１では、椅子(Ｃ)の背部(Ｃ１)を起立位置とし、テーブル(１)の支柱(22)を、垂直軸(Ｌ)よりも若干前方に傾斜させた前傾位置としている。
図７に示すように、この前傾位置においては、連結ユニット(８)の方形孔(19)と凹部(18)の前面がストッパー板(20)の前面に当接するので、支柱(22)がこれ以上前方に回動することはなく、天板(30)はこの位置に保持される。
【００２４】
図２では、椅子(Ｃ)の背部(Ｃ１)を後傾位置とし、テーブル(１)の支柱(22)を、垂直軸(Ｌ)よりも約３０度(椅子(Ｃ)の背部(Ｃ１)とほぼ同じ角度)後傾させた後傾位置としている。
図８に示すように、この後傾位置においては、連結ユニット(８)の方形孔(19)と凹部(18)の後面がストッパー板(20)の後面に当接するので、支柱(22)がこれ以上後方に回動することはなく、天板(30)はこの位置に保持される。
【００２５】
このように椅子(Ｃ)の背部(Ｃ１)の後傾角度に合わせて、テーブル(１)の支柱(22)を後傾させると、天板(30)は後下方に移動し、天板(30)と着座者(Ａ)の上半身の間が大きく離れることがないので、着座者(Ａ)が天板(30)上で作業するのに支障を来たすことはない。
【００２６】
また、天板(30)を前傾位置から後傾位置へ移動させると、トルクダンパー(34)が作用して、支柱(22)が前傾位置から後傾位置へ急速に回動したり、不意に回動したりするのが防止されるので、天板(30)上に載置した物品が、天板から落下したり、天板(30)や支柱(22)等が着座(Ａ)者に激しく衝突することはない。
【００２７】
一方、天板(30)を後傾位置から前傾位置に移動させる場合には、トルクダンパー(34)は何ら作用しないので、天板(30)は後傾位置から前傾位置へスムーズに移動する。
【００２８】
なお、前後の支柱(22)の調整孔に挿入したピン(27)を抜いて、同じ高さにある他の調整孔に挿入することにより、天板(30)を水平状態に保ったまま、着座者(Ａ)の身長等に合わせて、天板(30)の高さを着座者(Ａ)が使用しやすい位置に自由に変更することができる。
【００２９】
【発明の効果】
(Ａ)  請求項１記載の発明によると、天板を水平状態に保ったまま、支柱が前傾位置から後傾位置に回動するので、例えば背部を後方に傾斜させることができる椅子と組み合わせて使う場合には、背部を後方に傾斜させても、これに合わせて天板を後斜め下方に移動させれば、天板と着座者の上半身の間が大きく離れることがないので、着座者が天板上で作業するのに支障を来すことはなく、操作性もよい。
【００３０】
(Ｂ)  請求項２記載の発明によると、着座者の身長等に合わせて、天板の高さを変えることができるので、着座者はテーブルを常に使いやすい状態で使用することができる。
【００３１】
(Ｃ)  請求項３記載の発明によると、天板を前傾位置から後傾位置へ移動させると、回動速度抑制手段が作用して、支柱が前傾位置から後傾位置へ急速に回動したり、不意に回動したりするのが防止されるので、天板上に載置した物が天板から落下したり、天板や支柱等が着座者に激しく衝突することはない。
【図面の簡単な説明】
【図１】本発明の一実施形態のテーブルと椅子の通常の使用状態を示す側面図である。
【図２】同じく、テーブルと椅子を傾斜させた使用状態を示す側面図である。
【図３】同じく、テーブルの正面図である。
【図４】同じく、テーブルの天板の底面図である。
【図５】同じく、図３のＶ−Ｖ線に沿う横断平面図である。
【図６】同じく、支持脚と連結ユニットの拡大分解斜視図である。
【図７】同じく、天板を前傾位置とした際の要部の拡大縦断側面図である。
【図８】同じく、天板を後傾位置とした際の要部の拡大縦断側面図である。
【図９】従来例のテーブルと椅子の通常の使用状態を示す側面図である。
【図１０】同じく、椅子の背部を後方に傾斜させた際の使用状態を示す側面図である。
【符号の説明】
(１)テーブル
(２)(３)支持脚
(４)基杆
(５)側杆
(６)連結片
(７)接床部材
(８)連結ユニット
(９)上型
(9a)受溝
(9b)環状段部
(10)下型
(10a)受溝
(10b)環状段部
(11)(12)半円筒部材
(13)段状突部
(13a)小径部
(14)大径孔
(15)小径孔
(16)段付き孔
(17)ねじ孔
(18)凹部（規制手段）
(19)方形孔（規制手段）
(20)ストッパー板（規制手段）
(21)ボルト
(22)支柱
(23)止めねじ
(24)連結リンク
(25)支持杆（支柱）
(26)垂直部
(27)ピン
(28)摺接部材
(29)水平部
(30)天板
(31)支持板
(32)支持溝
(33)止めねじ
(34)トルクダンパー
(35)軸部
(Ａ)着座者
(Ｃ)椅子
(Ｃ１)背部
(Ｌ)垂直軸
【図１】
0004364981.tif 000002
【図２】
0004364981.tif 000003
【図３】
0004364981.tif 000004
【図４】
0004364981.tif 000005
【図５】
0004364981.tif 000006
【図６】
0004364981.tif 000007
【図７】
0004364981.tif 000008
【図８】
0004364981.tif 000009
【図９】
0004364981.tif 000010
【図１０】
0004364981.tif 000011